(57)【要約】【課題】  コンテンツのリストアの際、コンテンツが通信回線を経由して通信されることなく、着脱可能な記憶媒体を用いて規則に従ったコンテンツの保護を行うことができるコンテンツ保護方法及び移動通信端末装置を提供する。【解決手段】  コンテンツ保護部３２は、外部記憶媒体３１に記憶されたコンテンツ３１ａを格納した移動通信端末装置の識別情報を外部記憶媒体３１のコンテンツ使用規則３１ｂから読み出し、その識別情報によって識別される移動通信端末装置は通信サービスを受けることができず、かつ、リストアを行う移動通信端末装置１は通信サービスを受けることができることを、無線通信網３を経由して接続された顧客データ管理装置の顧客データに基いて確認した場合にリストアを行う。【選択図】  図２
2005250638.tif 000002
【特許請求の範囲】
【請求項１】
コンテンツとそのコンテンツの使用規則から前記コンテンツを再生するコンテンツ再生装置の識別情報と、そのコンテンツ再生装置が有効であるか無効であるかとをコンテンツ再生装置一覧に記憶し、
第１のコンテンツ再生装置から、前記コンテンツとそのコンテンツの使用規則と前記第１のコンテンツ再生装置の識別情報とを前記コンテンツの使用規則に従って着脱可能な記憶媒体にバックアップ記憶し、
前記着脱可能な記憶媒体に記憶された第１のコンテンツ再生装置の識別情報を検索キーに、その第１のコンテンツ再生装置が有効であるか無効であるか、及び、第２のコンテンツ再生装置の識別情報を検索キーに、その第２のコンテンツ再生装置が有効であるか無効であるかを前記コンテンツ再生装置一覧から検索し、
前記第１のコンテンツ再生装置が無効であり、かつ、前記第２のコンテンツ再生装置が有効である場合、前記着脱可能な記憶媒体に記憶されたコンテンツとそのコンテンツの使用規則とを前記第２のコンテンツ再生装置にリストア記憶する
ことを特徴とするコンテンツ保護方法。
【請求項２】
前記検索の結果、前記第１のコンテンツ再生装置が有効、または前記第２のコンテンツ再生装置が無効である場合は、前記着脱可能な記憶媒体に記憶されたコンテンツとそのコンテンツの使用規則とを前記第２のコンテンツ再生装置にリストア記憶しない
ことを特徴とする請求項１に記載のコンテンツ保護方法。
【請求項３】
コンテンツとそのコンテンツの使用規則から前記コンテンツを再生するコンテンツ再生装置の識別情報と、そのコンテンツ再生装置の所有者と、そのコンテンツ再生装置が有効であるか無効であるかとをコンテンツ再生装置一覧に記憶し、
第１のコンテンツ再生装置から、前記コンテンツとそのコンテンツの使用規則と前記第１のコンテンツ再生装置の識別情報とを前記コンテンツの使用規則に従って着脱可能な記憶媒体にバックアップ記憶し、
前記着脱可能な記憶媒体に記憶された第１のコンテンツ再生装置の識別情報を検索キーに、その第１のコンテンツ再生装置が有効であるか無効であるかと、その第１のコンテンツ再生装置の所有者、及び、第２のコンテンツ再生装置の識別情報を検索キーに、その第２のコンテンツ再生装置が有効であるか無効であるかと、その第２のコンテンツ再生装置の所有者を前記コンテンツ再生装置一覧から検索し、
前記第１のコンテンツ再生装置が無効であり、かつ、前記第２のコンテンツ再生装置が有効であり、かつ、前記第１のコンテンツ再生装置の所有者と前記第２のコンテンツ再生装置の所有者とが同一である場合、前記着脱可能な記憶媒体に記憶されたコンテンツとそのコンテンツの使用規則とを前記第２のコンテンツ再生装置にリストア記憶する
ことを特徴とするコンテンツ保護方法。
【請求項４】
前記検索の結果、前記第１のコンテンツ再生装置の所有者と前記第２のコンテンツ再生装置の所有者とが不一致の場合、前記第１のコンテンツ再生装置が有効である場合、または前記第２のコンテンツ再生装置が無効である場合は、前記着脱可能な記憶媒体に記憶されたコンテンツとそのコンテンツの使用規則とを前記第２のコンテンツ再生装置にリストア記憶しない
ことを特徴とする請求項３に記載のコンテンツ保護方法。
【請求項５】
前記リストア記憶の際、前記着脱可能な記憶媒体に記憶された第１のコンテンツ再生装置の識別情報を、前記第２のコンテンツ再生装置の識別情報に更新記憶する
ことを特徴とする請求項１または請求項３に記載のコンテンツ保護方法。
【請求項６】
前記コンテンツ再生装置の識別情報が前記コンテンツ再生装置一覧に記憶されていない場合、そのコンテンツ再生装置は無効であると記憶されているとみなす
ことを特徴とする請求項１または請求項３に記載のコンテンツ保護方法。
【請求項７】
顧客データの検索要求を行う移動通信端末装置と、前記移動通信端末装置の識別情報とその移動通信端末装置が通信サービスを受けることが可能であるか否かからなる顧客データを記憶する顧客データベースを有し、前記移動通信端末装置からの顧客データの検索要求を受信してその検索要求に対応して顧客データベースを検索し、その検索結果に応じて肯定または否定を示す２値のいずれかの回答を送信する顧客データ管理装置とが無線通信網を介して接続されているコンテンツ保護システムの移動通信端末装置であって、
コンテンツとそのコンテンツの使用規則が記憶されるコンテンツ記憶部と、
前記コンテンツ記憶部に記憶されたコンテンツを前記コンテンツの使用規則に従って再生するコンテンツ再生手段と、
前記コンテンツ記憶部に記憶されたコンテンツとそのコンテンツの使用規則と、自移動通信端末装置の識別情報とを前記コンテンツの使用規則に従って着脱可能な記憶手段に記憶するコンテンツバックアップ手段と、
前記着脱可能な記憶手段に記憶された移動通信端末装置の識別情報で識別される移動通信端末装置が前記顧客データベースに通信サービスを受けることが不可能と記憶されているかまたはその識別情報が記憶されておらず、かつ、自移動通信端末装置の識別情報で識別される移動通信端末装置が前記顧客データベースに通信サービスを受けることが可能と記憶されているかの検索要求を前記顧客データ管理装置に送信し、その検索要求に対して肯定の回答を受信した場合は、前記着脱可能な記憶手段に記憶されたコンテンツとそのコンテンツの使用規則とを前記コンテンツ記憶部に記憶するコンテンツリストア手段と
を有することを特徴とする移動通信端末装置。
【発明の詳細な説明】
【技術分野】
【０００１】
本発明は、コンテンツ保護方法及び移動通信端末装置に係り、特に異なる装置へのリストア処理に関する。
【背景技術】
【０００２】
移動通信端末装置では符号化されたデジタル映画情報を受信すると、その装置を誤って紛失した場合などに備えて、その情報を保護する処理が行われている。即ち、その情報を上記装置とは異なる記憶装置にバックアップ記憶し、記憶された情報を上記装置とは異なる移動通信端末装置にリストアする処理が知られている。上記情報のバックアップは、例えば、その情報を作成した者の著作権保護のため、所定の台数、例えば、１台の記憶装置に限って記憶するとの規則が付けられることがある。
【０００３】
上記規則が付けられた情報を保護する処理は、映画情報の保護に限るものではなく、音楽情報や、音声情報や、静止画情報や、電子ゲーム情報など、対話型に再生される情報や、更には、プログラムや、データについても行われている。そこで、以後、これらの情報を総称してコンテンツと称する。
【０００４】
なお、コンテンツは符号化されたデジタル情報に限られるものではなく、符号化されていないデジタル情報でも良い。更に、コンテンツの一部、または、全部がアナログ情報でも良い。また、コンテンツの受信は、無線回線経由であるか、有線回線経由であるか、着脱可能な記憶媒体経由であるかを問わない。
【０００５】
コンテンツと、コンテンツ保護に対する上記規則とを、コンテンツを集中管理するサーバが記憶し、移動通信端末装置からの要求に応じて、上記規則に従ってコンテンツのリストアを行う処理が知られている（例えば、特許文献１参照。）。
【特許文献１】特開２００３−５８６６０号公報（第２−４頁、図２３）
【発明の開示】
【発明が解決しようとする課題】
【０００６】
しかしながら、上述した特許文献１に開示されている方法では、コンテンツのリストアの際、コンテンツが通信回線を経由して通信されるので、その通信の通信料が発生し、また、その通信の通信時間を要する問題点があった。
【０００７】
本発明は、上記問題点を解決するためになされたもので、コンテンツのリストアの際、コンテンツが通信回線を経由して通信されることなく、着脱可能な記憶媒体を用いて規則に従ったコンテンツの保護を行うことができるコンテンツ保護方法及び移動通信端末装置を提供することを目的とする。
【課題を解決するための手段】
【０００８】
上記目的を達成するために、本発明のコンテンツ保護方法は、コンテンツとそのコンテンツの使用規則から前記コンテンツを再生するコンテンツ再生装置の識別情報と、そのコンテンツ再生装置が有効であるか無効であるかとをコンテンツ再生装置一覧に記憶し、第１のコンテンツ再生装置から、前記コンテンツとそのコンテンツの使用規則と前記第１のコンテンツ再生装置の識別情報とを前記コンテンツの使用規則に従って着脱可能な記憶媒体にバックアップ記憶し、前記着脱可能な記憶媒体に記憶された第１のコンテンツ再生装置の識別情報を検索キーに、その第１のコンテンツ再生装置が有効であるか無効であるか、及び、第２のコンテンツ再生装置の識別情報を検索キーに、その第２のコンテンツ再生装置が有効であるか無効であるかを前記コンテンツ再生装置一覧から検索し、前記第１のコンテンツ再生装置が無効であり、かつ、前記第２のコンテンツ再生装置が有効である場合、前記着脱可能な記憶媒体に記憶されたコンテンツとそのコンテンツの使用規則とを前記第２のコンテンツ再生装置にリストア記憶することを特徴とする。
【発明の効果】
【０００９】
本発明によれば、コンテンツのリストアの際、コンテンツが通信回線を経由して通信されることなく、着脱可能な記憶媒体を用いて規則に従ったコンテンツの保護を行うことができるコンテンツ保護方法及び移動通信端末装置を提供することができる。
【発明を実施するための最良の形態】
【００１０】
以下に、本発明によるコンテンツ保護制御方法及び移動通信端末装置の実施の形態を、図面を参照して説明する。図１は、本発明の実施形態に係るコンテンツ保護方法が適用され、本発明の実施形態に係る移動通信端末装置を含むコンテンツ保護システムの構成を示すブロック図である。
【００１１】
このコンテンツ保護システムは、移動通信端末装置１と、移動通信端末装置１が通信する移動通信システムに加入している顧客に関するデータ及びその顧客の契約に係る移動通信端末装置１に関するデータとを管理する顧客データ管理装置２と、移動通信端末装置１と顧客データ管理装置２とを接続する無線通信網３とからなる。
【００１２】
図２は、移動通信端末装置１の構成を示すブロック図である。移動通信端末装置１は、装置全体の制御を行う制御部１１と、基地局（図示せず）との間で電波の送受信を行うアンテナ１２ａと、通信部１２ｂと、送受信部１３と、スピーカ１４ａと、マイクロフォン１４ｂと、通話部１４ｃと、出力装置１５と、入力装置１６と、コンテンツ記憶部２１と、コンテンツ再生部２２と、着脱可能な外部記憶媒体３１と、コンテンツ保護部３２とからなる。
【００１３】
コンテンツ記憶部２１には、コンテンツ２１ａと、コンテンツ使用規則２１ｂとが記憶される。図３は、コンテンツ記憶部２１に記憶されるコンテンツ使用規則２１ｂの形式を示す。コンテンツ使用規則２１ｂは、バックアップ２１ｃからなるが、これに限るものではなく、その他の使用規則を含んでいても良い。
【００１４】
図３（ａ）は、コンテンツ２１ａを外部記憶媒体３１に１回バックアップすることが許されている場合のコンテンツ使用規則２１ｂの例を示し、バックアップ２１ｃには、「１回可」なる情報が記憶されている。また、図３（ｂ）は、コンテンツ２１ａを外部記憶媒体３１にバックアップすることが許されていない場合のコンテンツ使用規則２１ｂの例を示し、バックアップ２１ｃには、「不可」なる情報が記憶されている。
【００１５】
コンテンツ記憶部２１に記憶されるコンテンツ２１ａと、コンテンツ使用規則２１ｂとは、暗号化されていても良い。
【００１６】
外部記憶媒体３１は、例えば、ＳＤカードであり、外部記憶媒体３１には、コンテンツ３１ａと、コンテンツ使用規則３１ｂとが記憶される。図４は、外部記憶媒体３１に記憶されるコンテンツ使用規則３１ｂの形式を示し、図４（ａ）は第１の例を、図４（ｂ）は第２の例を示す。コンテンツ使用規則３１ｂは、バックアップ元端末装置識別子３１ｃと、バックアップ元端末装置電話番号３１ｄと、バックアップ３１ｅとからなるが、これに限るものではなく、それ以外の使用規則を含んでいても良い。
【００１７】
バックアップ元端末装置識別子３１ｃは、外部記憶媒体３１にコンテンツ３１ａが記憶された際に外部記憶媒体３１が取りつけられていた移動通信端末装置１を一意に識別する情報であり、例えば、移動通信端末装置１を製造した事業者によって付された製造番号であり、バックアップ元端末装置電話番号３１ｄは、その移動通信端末装置１の電話番号である。
【００１８】
ここで、バックアップ元端末装置識別子３１ｃとバックアップ元端末装置電話番号３１ｄとのいずれか一方によって、移動通信端末装置１を一意に識別可能なので、これらのうちのいずれか一方はコンテンツ使用規則３１ｂに含まれなくとも良い。
【００１９】
また、バックアップ３１ｅには、「１回可」、または、「不可」なる情報が記憶される。バックアップ３１ｅに記憶される情報の意味は、コンテンツ記憶部２１に記憶されるコンテンツ使用規則２１ｂに記憶される情報の説明で述べた通りである。
【００２０】
外部記憶媒体３１に記憶されるコンテンツ３１ａと、コンテンツ使用規則３１ｂとは、暗号化されて記憶される。
【００２１】
図５は、顧客データ管理装置２の構成を示すブロック図である。顧客データ管理装置２は、装置全体の制御を行う制御部４１と、通信部４２と、顧客データ記憶部４３と、顧客データ検索部４４とからなる。
【００２２】
顧客データ記憶部４３には、顧客データ４３ａが記憶される。図６は、顧客データ４３ａの形式を示す。顧客データ４３ａは、顧客識別子４３ｂと、端末装置識別子４３ｃと、端末装置電話番号４３ｄと、サービス４３ｅとの情報の組からなるが、これに限るものではなく、その他の情報を含んでいても良い。
【００２３】
顧客識別子４３ｂは、移動通信端末装置１が通信する移動通信システムを運営する通信事業者と加入契約を行った顧客を識別する情報である。端末装置識別子４３ｃは、上記契約に係る移動通信端末装置１を一意に識別する情報であり、上述したバックアップ元端末装置識別子３１ｃと同じ情報、例えば、移動通信端末装置１を製造した事業者によって付された製造番号である。また、端末装置電話番号４３ｄは、上記契約に係る移動通信端末装置１に付された電話番号であって、上述したバックアップ元端末装置電話番号３１ｄと同じ情報である。
【００２４】
更に、サービス４３ｅは、顧客識別子４３ｂと端末装置識別子４３ｃと端末装置電話番号４３ｄとで識別される契約に係る移動通信端末装置１が上記移動通信システムと通信するサービスが有効であって、そのサービスが行われている場合、「可」なる情報であり、一方、上記通信サービスが無効であって、そのサービスが行われていない場合、「不可」なる情報である。
【００２５】
通信サービスが無効である場合には、顧客識別子４３ｂで識別される顧客から、移動通信端末装置１が破損した、または、紛失したので通信サービスを受けることができない旨の届があった場合を含む。更に、上記契約が解約されたことにより、または、紛失された上記装置が拾得され、届けられたことにより、上記装置が通信事業者によって回収された場合を含む。
【００２６】
図６は、顧客識別子４３ｂが「ＤＤＤ」、端末装置識別子４３ｃが「ＡＡＡ」、端末装置電話番号４３ｄが「ＢＢＢ」、そしてサービス４３ｅが「不可」なる情報の組と、顧客識別子４３ｂが「ＤＤＤ」、端末装置識別子４３ｃが「ＥＥＥ」、端末装置電話番号４３ｄが「ＦＦＦ」、そしてサービス４３ｅが「可」なる情報の組とが記憶された顧客データ４３ａの例を示す。
【００２７】
この図６に示す例は、例えば、顧客識別子４３ｂが「ＤＤＤ」で識別される顧客が端末装置識別子４３ｃが「ＡＡＡ」で識別される移動通信端末装置を用いていたが、その装置が破損したので、その旨を通信事業者に届け、そして、端末装置識別子４３ｃが「ＥＥＥ」で識別される移動通信端末装置を購入して、新たに通信事業者と契約した場合の顧客データ４３ａである。
【００２８】
上記のように構成された、本発明の実施形態に係る移動通信端末装置１の各部の動作を、図２を参照して説明する。
【００２９】
まず、通信部１２ｂは、アンテナ１２ａが受信した高周波信号を送受信部１３へ出力し、また、送受信部１３から出力される高周波信号をアンテナ１２ａより送信する。
【００３０】
送受信部１３は、通信部１２ｂからの高周波信号を増幅、周波数変換及び復調し、それによって得られたデジタル音声信号を通話部１４ｃへ、また、通信部１２ｂからの標準時刻を含む制御信号を制御部１１に送る。更には、通話部１４ｃから出力されるデジタル音声信号、及び制御部１１から出力される制御信号を変調、周波数変換及び増幅し、高周波信号を得て、それを通信部１２ｂに送る。
【００３１】
次に、通話部１４ｃは、送受信部１３、または、コンテンツ再生部２２から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００３２】
出力装置１５は、例えばＬＣＤの表示装置であり、制御部１１に制御されることで、コンテンツ再生部２２から出力される画像データを含む、文字・数字や画像データの表示動作を行い、表示されているデータは、入力装置１６からの入力操作や着信信号に応答し、制御部１１からの指示を受けることで切換わる。
【００３３】
入力装置１６は、通話相手の電話番号を指定するための数字キーを含む複数のキーからなり、入力装置１６のキーが操作されると、このキーに対応した識別子が制御部１１に通知され、出力装置１５に文字や数字として表示され、また画像の表示切替などが行われる。
【００３４】
次に、コンテンツ再生部２２の動作を説明する。コンテンツ再生部２２は、コンテンツ２１ａの再生を、コンテンツ使用規則２１ｂに従って行う装置であり、利用者が入力装置１６の所定のキーを操作してコンテンツ２１ａを指定することによって、制御部１１がコンテンツ２１ａとコンテンツ使用規則２１ｂとを引数に起動して動作を開始する。
【００３５】
そして、コンテンツ再生部２２は、コンテンツ２１ａとコンテンツ使用規則２１ｂとをコンテンツ記憶部２１から読込んで、そのコンテンツ２１ａをそのコンテンツ使用規則２１ｂが許す範囲で再生し、再生された画像情報や文字情報を出力装置１５に送って表示し、また、再生された音楽情報や音声情報を通話部１４ｃに送ってスピーカ１４ａから発音する。
【００３６】
次に、コンテンツ保護部３２の動作を、まず、そのバックアップの動作から説明する。図７は、コンテンツ保護部３２のバックアップの動作のフローチャートを示す。コンテンツ保護部３２のバックアップの動作は、利用者が入力装置１６の所定のキーを操作してコンテンツ２１ａを指定することによって、制御部１１がコンテンツ２１ａ及びコンテンツ使用規則２１ｂを引数に起動して、動作を開始する（ステップ３２ａ）。
【００３７】
続いて、コンテンツ保護部３２は、バックアップが許されているかを判断する（ステップ３２ｂ）。即ち、図３（ｂ）に示すように、コンテンツ使用規則２１ｂのバックアップ２１ｃに「不可」なる情報が記憶されていれば、バックアップが許されていないと判断し（ステップ３２ｂの「不可」）、直ちに終了する（ステップ３２ｃ）。
【００３８】
一方、図３（ａ）に示すように、コンテンツ使用規則２１ｂのバックアップ２１ｃに「１回可」なる情報が記憶されていれば、コンテンツ保護部３２は、バックアップが許されていると判断し（ステップ３２ｂの「可」）、コンテンツ２１ａ及びコンテンツ使用規則２１ｂを外部記憶媒体３１にバックアップ記憶させる動作を行う（ステップ３２ｄ）。即ち、コンテンツ２１ａをメディアバインドで暗号化して、メディアバインドで暗号化されたコンテンツをコンテンツ３１ａに格納する。
【００３９】
そして、制御部１１から通知された移動通信端末装置１の識別子をバックアップ元端末装置識別子３１ｃに、制御部１１から通知された移動通信端末装置１の電話番号をバックアップ元端末装置電話番号３１ｄに、「不可」なる情報をバックアップ３１ｅに設定した情報の組を作成し、作成された情報の組を暗号化し、暗号化された上記情報をコンテンツ使用規則３１ｂに格納する。
【００４０】
図４（ａ）は、バックアップ元端末装置識別子３１ｃに「ＡＡＡ」、バックアップ元端末装置電話番号３１ｄに「ＢＢＢ」、バックアップ３１ｅに「不可」なる情報が設定されたコンテンツ使用規則３１ｂの例を示す。これは、識別子が「ＡＡＡ」であり、電話番号が「ＢＢＢ」である移動通信端末装置１によってバックアップされたコンテンツ使用規則３１ｂである。
【００４１】
次に、コンテンツ保護部３２は、コンテンツ使用規則２１ｂのバックアップ２１ｃに「不可」なる情報を格納して、コンテンツ使用規則２１ｂを更新して（ステップ３２ｅ）、終了する（ステップ３２ｂ）。ここで、ステップ３２ｄで「不可」なる情報をバックアップ３１ｅに設定し、ステップ３２ｅでバックアップ２１ｃを「不可」なる情報で更新するのは、このバックアップの動作によって１回のみ許されていたバックアップを行ったため、以後はバックアップが許されないことを記憶させるためである。
【００４２】
次に、コンテンツ保護部３２のリストアの動作を説明する。図８は、コンテンツ保護部３２のリストアの動作のフローチャートを示す。コンテンツ保護部３２のリストアの動作は、利用者が入力装置１６の所定のキーを操作して、コンテンツ３１ａを指定することによって、制御部１１がコンテンツ３１ａ及びコンテンツ使用規則３１ｂを引数に起動して、動作を開始する（ステップ３２ｇ）。
【００４３】
続いて、コンテンツ保護部３２は、リストアが許されているか否かを判断する（ステップ３２ｈ）。即ち、複数台の移動通信端末装置１にコンテンツ３１ａがリストアされないことを確認する。
【００４４】
この判断は、次の２段階で行われる。まず、第１の段階で、バックアップ元端末装置識別子３１ｃが制御部１１から通知された移動通信端末装置１の識別子に等しく、かつ、バックアップ元端末装置電話番号３１ｄが制御部１１から通知された移動通信端末装置１の電話番号に等しい場合、コンテンツ保護部３２は、リストアが許されていると判断する。
【００４５】
第１の段階でリストアが許されていると判断されなかった場合、コンテンツ保護部３２は、第２の段階に進む。第２の段階では、コンテンツ保護部３２は、以下の２件の検索を顧客データ管理装置２に依頼する。この依頼は、例えば、電子メール送受信部（図示せず）に指示して、電子メールを送信することによって行われる。
【００４６】
（１）制御部１１から通知された移動通信端末装置１の識別子と、制御部１１から通知された移動通信端末装置１の電話番号とによって識別される移動通信端末装置は、契約に基いた通信サービスが可能であることが記憶されているか。  
（２）バックアップ元端末装置識別子３１ｃと、バックアップ元端末装置電話番号３１ｄとによって識別される移動通信端末装置は、契約に基いた通信サービスが不可であることが記憶されているか、または、不明であるか。
【００４７】
ここで、上記（１）の検索によって、コンテンツ３１ａをリストアしようとしている移動通信端末装置１が移動通信システムと通信可能であることを、また、上記（２）の検索によって、外部記憶媒体３１にコンテンツ３１ａをバックアップした移動通信端末装置が移動通信システムと通信不可であることを知ることができる。
【００４８】
上記（１）及び（２）の検索のいずれか一方、または、両方に対して、「ＮＯ」の回答が得られた場合、複数の移動通信端末装置に対してリストアが行われようとしている可能性があるので、コンテンツ保護部３２は、リストアが許されていないと判断し（ステップ３２ｈの「不可」）、動作を終了する（ステップ３２ｉ）。ここで、上記回答は、例えば、電子メール送受信部が受信した電子メールによって得られる。
【００４９】
なお、上記説明では、移動通信端末装置１と顧客データ管理装置２との間の通信に電子メールを利用することを例としたが、これに限らず、独自のプロトコルや近距離無線を利用して認証しても構わない。
【００５０】
一方、上述した第１段階でリストアが許されていると判断した場合、及び、上記（１）及び（２）の検索の両方に対して、「ＹＥＳ」の回答が得られた場合、外部記憶媒体３１にコンテンツ３１ａをバックアップした移動通信端末装置は使用できる状態になく、１台の移動通信端末装置に対してリストアが行われようとしているので、コンテンツ保護部３２は、リストアが許されていると判断し（ステップ３２ｈの「可」）、外部記憶媒体３１に記憶された情報をコンテンツ記憶部２１にリストアする（ステップ３２ｊ）。
【００５１】
例えば、図４（ａ）に示す、バックアップ元端末装置識別子３１ｃに「ＡＡＡ」、バックアップ元端末装置電話番号３１ｄに「ＢＢＢ」、バックアップ３１ｅに「不可」なる情報が設定されたコンテンツ使用規則３１ｂが記憶された外部記憶媒体３１から識別子が「ＥＥＥ」、電話番号が「ＦＦＦ」である移動通信端末装置１にリストアする場合、顧客データ管理装置２が、図６に示す顧客データ４３ａを記憶しているなら、上記（１）及び（２）の検索の両方に対して、「ＹＥＳ」の回答が得られ、リストアが実行される。
【００５２】
即ち、コンテンツ保護部３２は、コンテンツ３１ａの暗号を解いて、暗号を解かれたコンテンツをコンテンツ２１ａに格納する。そして、コンテンツ使用規則３１ｂの暗号を解いて、暗号を解かれたバックアップ３１ｅをコンテンツ使用規則２１ｂのバックアップ２１ｃに格納する。
【００５３】
次に、コンテンツ保護部３２は、コンテンツ使用規則３１ｂを更新して（ステップ３２ｋ）、動作を終了する（ステップ３２ｉ）。
【００５４】
ここで、上記更新は、制御部１１から通知された移動通信端末装置１の識別子（上記の例では、「ＥＥＥ」。）をバックアップ元端末装置識別子３１ｃに、制御部１１から通知された移動通信端末装置１の電話番号（上記の例では、「ＦＦＦ」。）をバックアップ元端末装置電話番号３１ｄに、それぞれ格納することである。
【００５５】
この更新によって、以後、リストアを行った移動通信端末装置１以外の移動通信端末装置へのリストアを防ぐことができる。図４（ｂ）は、上記の例において、上記の更新が行われた後のコンテンツ使用規則３１ｂを示す。
【００５６】
なお、コンテンツ保護部３２は、ステップ３２ｈの第２の段階で上記（１）及び（２）の検索を顧客データ管理装置２に依頼するとしたが、それらに替えて、以下の（１）、（２’）及び（３）の３件の検索を依頼してもよい。そして、これら３件の検索の全てに「ＹＥＳ」の回答が得られた場合にリストアが許されると判断し、少なくとも１件に「ＮＯ」の回答が得られた場合にリストアが許されないとしても良い。
【００５７】
（１）制御部１１から通知された移動通信端末装置１の識別子と、制御部１１から通知された移動通信端末装置１の電話番号とによって識別される移動通信端末装置は、契約に基いた通信サービスが可能であることが記憶されているか。  
（２’）バックアップ元端末装置識別子３１ｃと、バックアップ元端末装置電話番号３１ｄとによって識別される移動通信端末装置は、契約に基いた通信サービスが不可であることが記憶されているか。  
（３）上記（１）及び（２’）の契約を行った利用者は同一か。
【００５８】
これによって、バックアップを行った移動通信端末装置の利用者とリストアを行った移動通信端末装置の利用者とが異なることを防ぐことができる。
【００５９】
次に、顧客データ管理装置２の動作を、図３を参照して説明する。まず、通信部４２は、無線通信網３からの信号を制御部４１に送信し、また、制御部４１からの信号を無線通信網３に送信する。
【００６０】
次に、顧客データ検索部４４の動作を説明する。顧客データ検索部４４は、例えば、電子メール送受信部（図示せず）が顧客データ４３ａの検索を依頼する電子メールを受信した際に、電子メール送受信部が起動して動作を開始する。
【００６１】
そして、「移動通信端末装置の識別子」と、「移動通信端末装置の電話番号」とをキーとする検索依頼を受信した場合、顧客データ検索部４４は、端末装置識別子４３ｃが上記「移動通信端末装置の識別子」に等しく、かつ、端末装置電話番号４３ｄが上記「移動通信端末装置の電話番号」に等しい情報の組を顧客データ４３ａから検索する。そして、その組の情報の顧客識別子４３ｂと、サービス４３ｅを得る。
【００６２】
得られたサービス４３ｅが「可」なる情報であれば、顧客データ検索部４４は、上記検索キーで識別される移動通信端末装置は、「契約に基いた通信サービスが可能であることが記憶されている」と判断する。また、得られたサービス４３ｅが「不可」なる情報であれば、上記検索キーで識別される移動通信端末装置は、「契約に基いた通信サービスが不可であることが記憶されている」と判断する。また、上記検索キーによって情報の組を得ることができない場合、「契約に基いた通信サービスが可であるか不可であるか不明」と判断する。
【００６３】
また、２つの検索によって検索された顧客識別子４３ｂが同一の情報であれば、顧客データ検索部４４は、２つの検索の際にキーとされた識別情報で識別される２台の移動通信端末装置の利用者は同一であると判断する。そして、上記の判断に基いて、依頼された顧客データ４３ａの検索に対して、「ＹＥＳ」または「ＮＯ」のいずれかの回答を作成し、移動通信端末装置１に送信する。その送信は、例えば、その回答からなる電子メールを、電子メール送受信部に指示して送信することによって行われる。
【００６４】
以上の説明は、本発明を移動通信端末装置に適用した形態を例にとって行ったが、本発明は、契約に基いて通信システムとの通信が可能なあらゆるコンテンツ再生装置、例えば、会員のみが通信できるプロバイダからインターネットを介してコンテンツを入手するパソコンに適用することも当然に可能である。本発明は以上の構成に限定されるものではなく、種々の変形が可能である。
【図面の簡単な説明】
【００６５】
【図１】本発明の実施形態に係るコンテンツ保護システムの構成を示すブロック図。
【図２】本発明の実施形態に係る移動通信端末装置の構成を示すブロック図。
【図３】本発明の実施形態に係るコンテンツ記憶部に記憶されるコンテンツ使用規則の形式を示す図。
【図４】本発明の実施形態に係る外部記憶媒体に記憶されるコンテンツ使用規則の形式を示す図。
【図５】本発明の実施形態に係る顧客データ管理装置の構成を示すブロック図。
【図６】本発明の実施形態に係る顧客データの形式を示す図。
【図７】本発明の実施形態に係るコンテンツ保護部のコンテンツバックアップの動作を示すフローチャート。
【図８】本発明の実施形態に係るコンテンツ保護部のコンテンツリストアの動作を示すフローチャート。
【符号の説明】
【００６６】
１  移動通信端末装置
２  顧客データ管理装置
２１  コンテンツ記憶部
２１ａ、３１ａ  コンテンツ
２１ｂ、３１ｂ  コンテンツ使用規則
２１ｃ、３１ｅ  バックアップ
２２  コンテンツ再生部
３１  外部記憶媒体
３１ｃ  バックアップ元端末装置識別子
３１ｄ  バックアップ元端末装置電話番号
３２  コンテンツ保護部
４３  顧客データ記憶部
４３ａ  顧客データ
４３ｂ  顧客識別子
４３ｃ  端末装置識別子
４３ｄ  端末装置電話番号
４３ｅ  サービス
４４  顧客データ検索部
【図１】
2005250638.tif 000003
【図２】
2005250638.tif 000004
【図３】
2005250638.tif 000005
【図４】
2005250638.tif 000006
【図５】
2005250638.tif 000007
【図６】
2005250638.tif 000008
【図７】
2005250638.tif 000009
【図８】
2005250638.tif 000010